(57)【特許請求の範囲】
【請求項１】
衣服本体（１）のウエスト部（５）を絞って衣服本体（１）のウエストサイズを調節すべくウエスト部（５）に調節紐（４）が挿通され、ウエスト部（５）からの調節紐（４）の引き出し量を調節することにより、ウエスト部（５）の絞り具合を調節できるよう構成されてなる釣り用衣服において、前記衣服本体（１）の内側には挿通孔（１２）を有するポケット（１１）が設けられ、
前記ウエスト部（５）の内側に形成された引き出し孔（１０）から調節紐（４）が引き出されるとともに、前記ポケット（１１）内で調節紐（４）の引き出し量の調節ができるよう、前記調節紐（４）が挿通孔（１２）を通ってポケット（１１）内に引き出されてなり、
前記ポケット（１１）内には、前記調節紐（４）の引き出し量を維持して、ポケット（１１）の挿通孔（１２）を挿通不能なサイズのストッパー（１３）が設けられていることを特徴とする釣り用衣服。
【請求項２】
ポケット（１１）の下端部側のうち、引き出し孔（１０）の近傍位置に、調節紐（４）を挿通可能な挿通孔（１２）が形成されていることを特徴とする請求項１記載の釣り用衣服。
【発明の詳細な説明】
【０００１】
【発明の属する技術分野】
本発明は、釣り用衣服に関し、特に、衣服本体のサイズを調節するために、衣服本体に調節紐が挿通されてなる釣り用衣服に関するものである。
【０００２】
【従来の技術】
従来、この種の釣り用衣服としては、例えば、図３に示すような、衣服本体５０の裾に位置するウエスト部５１が調節紐５２によってサイズ調節可能に構成されてなる釣り用ベストが公知である。該釣り用ベストにおいて、衣服本体５０のウエスト部５１には、表地と裏地との間に紐通し孔５４が形成され、該紐通し孔５４に前記調節紐５２が挿通されている。そして、該調節紐５２の一部がウエスト部５１から外部に引き出されており、引き出された調節紐５２を引っ張る等して調節紐５２の引き出し量を調節することによって、ウエスト部５１の絞り具合、即ち、衣服本体５０のウエストサイズを自由に調節できるようになっている。また、調節したサイズを固定するために、調節紐５２の引き出し量を維持するストッパー５３が、引き出された調節紐５２に設けられている。
【０００３】
【発明が解決しようとする課題】
しかるに、上記従来の釣り用ベストにあっては、引き出された調節紐５２が図３のように、衣服本体５０の裾から下方に垂れ下がった状態となるため、当該釣り用ベストを着用して釣りを行うと、引き出された調節紐５２が釣りの最中に邪魔になる可能性があった。
【０００４】
そこで本発明は、上記従来の問題点に鑑みてなされたもので、引き出された調節紐が釣りの妨げになることのない釣り用衣服を提供することを課題とするものである。
【０００５】
【課題を解決するための手段】
本発明は、衣服本体１のウエスト部５を絞って衣服本体１のウエストサイズを調節すべくウエスト部５に調節紐４が挿通され、ウエスト部５からの調節紐４の引き出し量を調節することにより、ウエスト部５の絞り具合を調節できるよう構成されてなる釣り用衣服において、前記衣服本体１の内側には挿通孔１２を有するポケット１１が設けられ、前記ウエスト部５の内側に形成された引き出し孔１０から調節紐４が引き出されるとともに、前記ポケット１１内で調節紐４の引き出し量の調節ができるよう、前記調節紐４が挿通孔１２を通ってポケット１１内に引き出されてなり、前記ポケット１１内には、前記調節紐４の引き出し量を維持して、ポケット１１の挿通孔１２を挿通不能なサイズのストッパー１３が設けられていることを特徴とする。
【０００６】
該構成からなる釣り用衣服にあっては、調節紐４がポケット１１内に引き出されてポケット１１内に位置している。そして、ウエストサイズを調節する時には、ポケット１１に手を入れて調節紐４を引っ張る等することによって、引き出し量をポケット１１内にて調節することができる。
また、ストッパー１３をポケット１１内に設けることで、該ストッパー１３の操作もポケット１１内にて行うことができ、且つ、調節しない時でもストッパー１３もポケット１１内に位置させることができる。
【０００７】
本発明の釣り用衣服では、ポケット１１の下端部側のうち、引き出し孔１０の近傍位置に、調節紐４を挿通可能な挿通孔１２が形成されていることを特徴としている。
【０００８】
【発明の実施の形態】
以下、衣服本体１を絞って衣服本体１のサイズを調節すべく衣服本体１に調節紐４が挿通され、衣服本体１からの調節紐４の引き出し量を調節することにより、衣服本体１の絞り具合を調節できるよう構成されてなる釣り用衣服の一例として、図１及び図２を参酌しつつ、衣服本体１のウエスト部５を絞って衣服本体１のウエストサイズを調節すべくウエスト部５に調節紐４が挿通され、ウエスト部５からの調節紐４の引き出し量を調節することにより、ウエスト部５の絞り具合を調節できるよう構成されてなる釣り用ベストについて説明する。
【０００９】
前記衣服本体１は、左右一対の前身ごろ２，２と、後ろ身ごろ３とから構成され、両前身ごろ２，２は前合わせ部に設けられたファスナー６で開閉可能に構成されてなる。そして、前記ウエスト部５は衣服本体１の裾に位置し、衣服本体１の表地と裏地との間に前記紐通し孔７が裾に沿って設けられ、該紐通し孔７は、一方の前身ごろ２の前合わせ部側端部８から他方の前身ごろ２の前合わせ部側端部８まで、裾の全周に亘って形成されてなる。該紐通し孔７全体に前記調節紐４が挿通され、裾の両前合わせ部側端部８と、後ろ身ごろ３の略中央部７において衣服本体１に縫着により固定されてなる。即ち、調節紐４は、紐通し孔７間で左右方向（ウエストサイズの調節方向）に沿って縫着箇所を除き、裾に対して位置ずれ可能であるが、両前合わせ部側端部８にて衣服本体１と固定され且つ略中央部９でも固定されていることから、前合わせ部側端部８と略中央部９の縫着箇所間において裾に対して相対的に位置ずれが可能であり、しかも、調節紐４は略中央部９の縫着箇所を境として左右独立に位置ずれできる。また、裾の内側には、調節紐４が通りうる引き出し孔１０が左右二箇所形成され、各々の引き出し孔１０は、両縫着箇所間、即ち、前合わせ部側端部８の縫着箇所と略中央部９の縫着箇所との間に設けられてなる。
【００１０】
更に、衣服本体１の内側、具体的には、左右前身ごろ２，２に各々、上方に向けて開口した開口部を有するポケット１１が設けられてなり、且つポケット１１の下端部側のうち、前記引き出し孔１０の近傍位置には、調節紐４が挿通可能な挿通孔１２が形成されてなる。
【００１１】
また、左右独立してウエスト部５を調節可能な前記調節紐４は、二箇所の引き出し孔１０から各々内側のポケット１１の挿通孔１２に向けて引き出され、そのまま挿通孔１２からポケット１１内にΩ状に引き出されている。即ち、調節紐４は左右二箇所の引き出し孔１０から各々ポケット１１内に引き出されることにより、左右独立して引き出し量を調節できるよう構成されてなる。
【００１２】
更に、ポケット１１内に引き出された調節紐４にはストッパー１３が取り付けられており、該ストッパー１３によって引き出し量を維持できるようになっている。該ストッパー１３は種々の公知のものを採用できるが、本実施形態では、調節紐４が通る孔を有し、その孔を通る調節紐４を孔の周面に出退するバネ部材１４で固定するタイプのもので、バネ部材１４による押圧力にて引き出し量を維持でき且つ、バネ部材１４を孔に向けて押すと押圧力が解除され、孔を調節紐４が自由に通ることができて引き出し量を可変できるものである。しかも、該ストッパー１３は、ポケット１１の挿通孔１２を挿通不能なサイズであるので、ストッパー１３がポケット１１の挿通孔縁部の内壁に掛止することとなり、引き出された調節紐４の戻りを防止する。
【００１３】
尚、本実施形態における調節紐４は、ゴム紐等の伸縮自在な部材から形成されており、調節紐４を用いてウエスト部５を絞って衣服本体１のウエストサイズを調節した後において、調節紐４の伸縮性によって、衣服本体１がより体にフィットするようになっている。
【００１４】
以下、上記構成からなる釣り用ベストの使用方法について説明する。
まず、左右のポケット１１，１１に手を入れて、ポケット１１内にてストッパー１３のバネ部材１４の押圧力を解除し、調節紐４を引っ張ったり戻したりして、引き出された調節紐４の引き出し量を調節することにより、ウエスト部５の絞り具合を調節する。例えば、一方の引き出された調節紐４を引っ張って引き出し量を増加させると、裾の紐通し孔７から調節紐４が引っ張った量に応じて引き出され、二つの縫着箇所（前合わせ部側端部８の縫着箇所と略中央部９の縫着箇所）が互いに引き寄せられて両箇所間の裾が絞られてサイズが小さくなる。そして、所望のウエストサイズに調節できれば、ストッパー１３を用いて引き出し量を維持するが、ストッパー１３がポケット１１の挿通孔１２を挿通不能なため、確実に維持し固定できる。かかる調節操作と固定操作とを左右両方の調節紐４において行うことで、左右バランス良くサイズ調節でき、しかも、左右にポケット１１を設けているので、左右の手を用いて操作できる。
【００１５】
かかる調節操作は、着用前に予めある程度行っておくことができ、その場合には、調節紐４の伸縮性によって、着用時の微妙なサイズ合わせが自動的に行われることで、体に衣服本体１をフィットさせることができる。
【００１６】
しかも、着用した状態で釣りを行うと、引き出された調節紐４がストッパー１３と共にポケット１１内に収納された状態にあるため、釣りの最中に調節紐４やストッパー１３が邪魔にならない。例えば、従来のように調節紐４が下方に垂れ下がっている場合では、竿や玉網等が調節紐４に引っかかったりする場合があったが、本実施形態のようにポケット１１内に位置させることにより、釣りの妨げになることを確実に防止できるのである。
【００１７】
更に、着用後、釣りの最中等において、ウエスト部５の絞り具合を変更したい場合には、着用したままポケット１１に開口部から手を入れて引き出し量を調節できる。このように、裾から挿通孔１２を介してポケット１１内に直接引き出しているので、例えば、引き出された調節紐４を単にポケット１１の開口部からポケット１１内に収納させたものとは異なる利点がある。即ち、単にポケット１１内に収納したものでは、調節の度にポケット１１から調節紐４を取り出し且つ、調節後には再度ポケット４内に収納し直すという作業が必要となる。また、釣りの最中に調節するような場合には、調節後に調節紐４を収納し忘れるという場合も考えられる。それに対して、本発明においては、ポケット１１内に直接引き出しているので、ポケット１１内で調節ができ、調節紐４の取り出し、再収納という作業が不要であり、且つ、常に調節紐４とストッパー１３とがポケット１１内に位置するため、調節操作も容易且つ素早くできるのである。
【００１８】
尚、上記実施形態では、調節紐４が引き出されているポケット１１を衣服本体１の内側に設けたものについて説明したが、衣服本体１の外側にポケット１１を設けてそのポケット１１内に調節紐４を引き出すように構成してもよい。かかる場合には、調節紐４の露出を最小限にするため、裾の引き出し孔１０も外側に開口させることが好ましい。そして、外側のポケット１１の場合には、前合わせ部のファスナー６の開口操作を行うことなく、手をポケット１１内に入れて調節操作できるという利点がある。
【００１９】
その一方、一般に外側には図１のように釣り用具等を収納するための釣り具収納ポケットＡを設けることが多いので、外側ではなく上述のように内側にポケット１１を設けた場合、衣服本体１の外側に、釣り具収納ポケットＡのためのスペースをより確保できるという利点がある。
【００２０】
また、ポケット１１を設ける場所も前身ごろ２に限定されず、後ろ身ごろ３に設けてもよく、引き出し孔１０から挿通孔１２までの調節紐４の露出を最小限にするために、ポケット１１の場所に応じて引き出し孔１０も自由に設計変更できる。無論、この露出を完全になくすために、挿通孔１２が引き出し孔１０を兼ねて設けられているようなもの、即ち、ポケット１１の下端部側を裾に隣接させて紐通し孔７とポケット１１とを挿通孔１２のみを介して連通させることも可能である。
【００２１】
更に、表地と裏地とから紐通し孔７を形成して調節紐４を挿通させてなるが、紐通し孔７ではなく、例えば、調節紐４を横断する方向（例えば上下方向）に、ベルト通しのような帯状体を裾に沿って所定間隔毎に設けて、それに調節紐４を挿通させてもよく、調節紐４でウエスト部５を絞って調節できるように適宜設計変更が可能である。
【００２２】
また、釣り用ベスト以外にも、袖のあるジャケットタイプや丈の長いコートタイプの衣服等、種々の釣り用衣服にも無論対応可能である。
【００２３】
更に、上記実施形態では、開口部以外の箇所が衣服本体１に縫着により固定されてなるポケット１１について説明したが、本発明におけるポケット１１は、このような袋状のタイプのみを意図するものではなく、引き出された調節紐４を覆うようにカバーが衣服本体１に設けられ、該カバーと衣服本体１とからポケット１１を構成し、該ポケット１１内に調節紐４が引き出してもよい。
【００２４】
【発明の効果】
以上のように本発明に係る釣り用衣服にあっては、ウエストサイズの調節の時、及び調節しない時の何れにおいても、引き出された調節紐がポケット内に位置した状態で釣りを行えるので、釣りの最中に竿や玉網等が調節紐に引っかかったりするというようなことがなく、引き出された調節紐が釣りの妨げにならないという効果を奏する。
【００２５】
また、請求項２記載の如く、ストッパーをポケット内に設けることにより、調節紐の引き出し量の維持操作も、引き出し量の調節動作と同様にポケット内で効率よく行うことができ、しかも、ストッパーが釣りの最中に邪魔になるということもない。
【図面の簡単な説明】
【図１】本発明の一実施形態における釣り用衣服を示す概略斜視図。
【図２】同釣り用衣服の要部を内側から見た一部破断線を含む概略説明図。
【図３】従来の釣り用衣服を示す斜視図。
【符号の説明】
１…衣服本体、４…調節紐、５…ウエスト部、１１…ポケット、１２…挿通孔、１３…ストッパー
【図１】
0004330194.tif 000002
【図２】
0004330194.tif 000003
【図３】
0004330194.tif 000004